(57)【要約】  技法は、少なくとも１つのガード期間の構成を示す信号を、基地局により少なくとも１つのユーザデバイスに送るステップを含むことができ、少なくとも１つのガード期間は、同じリンク方向のサブフレーム部分の間に設けられる。例示的な実装形態によれば、少なくとも１つのガード期間は、サブフレーム内の同じリンク方向のサブフレーム部分の間に設けられる少なくとも１つの第１のガード期間と、異なるサブフレームの同じリンク方向のサブフレーム部分の間に設けられる少なくとも１つの第２のガード期間とのうちの１つまたは複数を含むことができる。
2019509660.tif 000002
【特許請求の範囲】
【請求項１】
少なくとも１つのガード期間の構成を示す信号を、基地局により少なくとも１つのユーザデバイスに送るステップであって、前記少なくとも１つのガード期間は、同じリンク方向のサブフレーム部分の間に設けられる、ステップを含む方法。
【請求項２】
前記構成は、
１つまたは複数のサブフレームに対して、同じリンク方向のサブフレーム部分の間に設けられる少なくとも１つのガード期間を示すサブフレーム構成と、
１つまたは複数のサブフレームに対して、同じリンク方向のサブフレーム部分の間に設けられる少なくとも１つのガード期間を示すガード期間構成と
のうちの少なくとも一方を備える、請求項１に記載の方法。
【請求項３】
前記少なくとも１つのガード期間は、
同じリンク方向の制御サブフレーム部分とデータサブフレーム部分との間に設けられるガード期間を含む、請求項１または２に記載の方法。
【請求項４】
前記少なくとも１つのガード期間は、
サブフレーム内で同じリンク方向のサブフレーム部分の間に設けられるガード期間を含む、請求項１から３までのいずれか１項に記載の方法。
【請求項５】
前記少なくとも１つのガード期間は、
異なるサブフレームの同じリンク方向のサブフレーム部分の間に設けられるガード期間を含む、請求項１から４までのいずれか１項に記載の方法。
【請求項６】
前記少なくとも１つのガード期間は、
サブフレーム内で同じリンク方向のサブフレーム部分の間に設けられる少なくとも１つの第１のガード期間と、
異なるサブフレームの同じリンク方向のサブフレーム部分の間に設けられる少なくとも１つの第２のガード期間と
を含む、請求項１から５までのいずれか１項に記載の方法。
【請求項７】
前記少なくとも１つのガード期間中に前記基地局によりビーム切換えを実行するステップをさらに含む、請求項１か６までのいずれか１項に記載の方法。
【請求項８】
前記送るステップは、前記少なくとも１つのガード期間が、同じリンク方向のサブフレーム部分の間に設けられること、または設けられないことを示すセル固有のシグナリングを、基地局により少なくとも１つのユーザデバイスに送るステップを含み、
前記方法は、前記少なくとも１つのガード期間が、１つまたは複数の特定のサブフレームに対して設けられないこと、または設けられることをそれぞれ示すユーザデバイス固有のシグナリングを、前記基地局により少なくとも１つのユーザデバイスに送るステップをさらに含む、請求項１から７までのいずれか１項に記載の方法。
【請求項９】
前記方法は、
前記少なくとも１つのガード期間が、１つまたは複数の特定のサブフレームに対して設けられるかどうかを示すシグナリングを、前記基地局により少なくとも１つのユーザデバイスに送るステップをさらに含む、請求項１から８までのいずれか１項に記載の方法。
【請求項１０】
前記基地局は同じリンク方向の第１のサブフレーム部分と第２のサブフレーム部分との間でビーム切換えを実行しないことを前記基地局により決定するステップと、
前記少なくとも１つのガード期間が、同じリンク方向の前記第１のサブフレーム部分と前記第２のサブフレーム部分との間に設けられないことを示すシグナリングを、前記基地局により少なくとも１つのユーザデバイスに送るステップと
をさらに含む、請求項１から９までのいずれか１項に記載の方法。
【請求項１１】
前記少なくとも１つのガード期間の１つまたは複数のシンボルは、前記基地局が、
サブフレームの１つまたは複数のデータシンボルをパンクチャするステップと、
サブフレームの巡回プレフィックスの１つまたは複数のシンボルをパンクチャするステップと、
異なるリンク方向のサブフレーム部分の間に設けられるガード期間を短縮するステップと、
サブフレームのゼロテールの１つまたは複数のシンボルを増加させるステップと
のうちの１つまたは複数を実行することにより提供され、または取得される、請求項１から１０までのいずれか１項に記載の方法。
【請求項１２】
前記少なくとも１つのガード期間は、指示が提供されるサブフレーム内に設けられるという前記指示を、前記サブフレームにおいて前記基地局により前記少なくとも１つのユーザデバイスに提供するステップをさらに含む、請求項１から１１までのいずれか１項に記載の方法。
【請求項１３】
前記送るステップは、
サブフレーム中に、アップリンク送信を実行するためのアップリンクリソースをユーザデバイスに許可する、前記ユーザデバイスへのアップリンク許可を含むシグナリングを、基地局により前記ユーザデバイスに送るステップであって、前記シグナリングは、同じリンク方向のサブフレーム部分の間に設けられる少なくとも１つのガード期間が、前記許可されたアップリンクリソースを介して、前記ユーザデバイスによりアップリンク送信が実行される前記サブフレームにおいて設けられることを示す、ステップ
を含む、請求項１から１２までのいずれか１項に記載の方法。
【請求項１４】
装置であって、少なくとも１つのプロセッサと、前記少なくとも１つのプロセッサにより実行されたとき、前記装置に、
同じリンク方向のサブフレーム部分の間に設けられる少なくとも１つのガード期間の構成を示す信号を、基地局により少なくとも１つのユーザデバイスに送らせるコンピュータ命令を含む少なくとも１つのメモリとを備える装置。
【請求項１５】
コンピュータプログラム製品であって、前記コンピュータプログラム製品は、実行可能コードを記憶したコンピュータ可読記憶媒体を備え、前記実行可能コードは、少なくとも１つのデータ処理装置により実行されたとき、前記少なくとも１つのデータ処理装置に、
同じリンク方向のサブフレーム部分の間に設けられる少なくとも１つのガード期間の構成を示す信号を、基地局により少なくとも１つのユーザデバイスに送らせるように構成された、コンピュータプログラム製品。
【請求項１６】
同じリンク方向のサブフレーム部分の間に設けられる少なくとも１つのガード期間の構成を示す信号を、基地局により少なくとも１つのユーザデバイスに送るための手段と、
前記少なくとも１つのガード期間が、１つまたは複数の特定のサブフレームに対して設けられるかどうかを示すシグナリングを、前記基地局により少なくとも１つのユーザデバイスに送るための手段と
を備える装置。
【請求項１７】
請求項１から１３までのいずれか１項を実行するための手段を備える装置。
【請求項１８】
装置であって、少なくとも１つのプロセッサと、前記少なくとも１つのプロセッサにより実行されたとき、前記装置に、請求項１から１３までのいずれか１項に記載の方法を実行させるコンピュータ命令を含む少なくとも１つのメモリとを備える、装置。
【請求項１９】
コンピュータプログラム製品であって、前記コンピュータプログラム製品は、実行可能コードを記憶したコンピュータ可読記憶媒体を備え、前記実行可能なコードは、少なくとも１つのデータ処理装置により実行されたとき、前記少なくとも１つのデータ処理装置に、請求項１から１３までのいずれか１項に記載の方法を実行させるように構成された、コンピュータプログラム製品。
【請求項２０】
同じリンク方向のサブフレーム部分の間に設けられる少なくとも１つのガード期間の構成を示す信号を、基地局からユーザデバイスが受信するステップを含む方法。
【請求項２１】
前記少なくとも１つのガード期間は、
サブフレーム内で同じリンク方向のサブフレーム部分の間に設けられたガード期間を含む、請求項２０に記載の方法。
【請求項２２】
前記少なくとも１つのガード期間は、
異なるサブフレームの同じリンク方向のサブフレーム部分の間に設けられるガード期間を含む、請求項２０または２１に記載の方法。
【請求項２３】
前記少なくとも１つのガード期間は、
サブフレーム内で同じリンク方向のサブフレーム部分の間に設けられる少なくとも１つの第１のガード期間と、
異なるサブフレームの同じリンク方向のサブフレーム部分の間に設けられる少なくとも１つの第２のガード期間と
を含む、請求項２０から２２までのいずれか１項に記載の方法。
【請求項２４】
前記少なくとも１つのガード期間中に前記ユーザデバイスによりビーム切換えを実行するステップをさらに含む、請求項２０から２３までのいずれか１項に記載の方法。
【請求項２５】
前記少なくとも１つのガード期間が、１つまたは複数の特定のサブフレームに対して設けられるかどうかを示すシグナリングを、前記基地局から前記ユーザデバイスが受信するステップをさらに含む、請求項２０から２４までのいずれか１項に記載の方法。
【請求項２６】
前記少なくとも１つのガード期間は、指示が提供されるサブフレーム内に設けられるという前記指示を、前記サブフレームにおいて前記基地局から前記ユーザデバイスが受信するステップをさらに含む、請求項２０から２５までのいずれか１項に記載の方法。
【請求項２７】
前記受信するステップは、
サブフレーム中に、アップリンク送信を実行するためのアップリンクリソースを前記ユーザデバイスに許可する、前記ユーザデバイスへのアップリンク許可を含むシグナリングを、前記基地局から前記ユーザデバイスが受信するステップであって、前記シグナリングは、同じリンク方向のサブフレーム部分の間に設けられる少なくとも１つのガード期間が、前記許可されたアップリンクリソースを介して、前記ユーザデバイスによりアップリンク送信が実行される前記サブフレームにおいて設けられることを示す、ステップ
を含む、請求項２０から２６までのいずれか１項に記載の方法。
【請求項２８】
同じリンク方向のサブフレーム部分の間に設けられる少なくとも１つのガード期間の構成を示す信号を、基地局からユーザデバイスが受信するための手段と、
前記少なくとも１つのガード期間が、１つまたは複数の特定のサブフレームに対して設けられるかどうかを示すシグナリングを、前記基地局から前記ユーザデバイスが受信するための手段と
を備える装置。
【請求項２９】
装置であって、少なくとも１つのプロセッサと、前記少なくとも１つのプロセッサにより実行されたとき、前記装置に、請求項２０から２７までのいずれか１項に記載の方法を実行させるコンピュータ命令を含む少なくとも１つのメモリとを備える、装置。
【請求項３０】
コンピュータプログラム製品であって、前記コンピュータプログラム製品は、実行可能コードを記憶したコンピュータ可読記憶媒体を備え、前記実行可能なコードは、少なくとも１つのデータ処理装置により実行されたとき、前記少なくとも１つのデータ処理装置に、請求項２０から２７までのいずれか１項に記載の方法を実行させるように構成された、コンピュータプログラム製品。
【請求項３１】
請求項２０から２７までのいずれか１項に記載の方法を実行させるための手段を備える装置。
【発明の詳細な説明】
【技術分野】
【０００１】
本明細書は通信に関する。
【背景技術】
【０００２】
通信システムは、固定通信デバイスまたは移動通信デバイスなど、２つ以上のノードまたはデバイス間で通信を可能にする機構とすることができる。信号は、有線または無線の通信事業者により搬送され得る。
セルラー式通信システムの例は、第３世代パートナーシッププロジェクト（３ＧＰＰ）により標準化されているアーキテクチャである。この分野における最近の進展は、ユニバーサル移動体通信システム（ＵＭＴＳ）無線アクセス技術のロングタームエボリューション（ＬＴＥ）と称されることが多い。Ｅ−ＵＴＲＡ（進化型ＵＭＴＳ地上無線アクセス）は、移動体ネットワークに対する３ＧＰＰのロングタームエボリューション（ＬＴＥ）のアップグレードパスの無線インターフェースである。ＬＴＥにおいて、拡張ノードＡＰ（ｅＮＢ）と呼ばれる基地局またはアクセスポイント（ＡＰ）は、カバレッジエリアまたはセル内で無線アクセスを提供する。ＬＴＥでは、移動デバイスまたは移動局は、ユーザ機器（ＵＥ）と呼ばれる。ＬＴＥは、多くの改良または発展を取り込んできた。
世界的な帯域幅不足に直面している無線通信事業者は、例えば、将来の広帯域セルラー式通信ネットワークに対して、十分利用されていないミリメートル波（ミリ波：ｍｍＷａｖｅ）周波数スペクトルの検討を動機付けてきた。ミリ波（または極高周波）は、例えば、３０から３００ギガヘルツ（ＧＨｚ）の間の周波数範囲を含むことができる。例えば、この帯域における電波は、１０から１ミリメートルの波長を有し得、ミリメートル帯域またはミリメートル波の名前が与えられている。数年後に無線データの量は著しく増加する可能性が高い。この課題に対処する試みとして、より多くのスペクトルを取得すること、より小さなセルサイズを有すること、および、より多くのビット／ｓ／Ｈｚを可能にする改良された技術を用いることを含む、様々な技法が使用されてきている。より多くのスペクトルを取得するために使用され得る１つの要素は、６ＧＨｚを超えるより高い周波数へと移動することである。第５世代無線システム（５Ｇ）の場合、ミリ波無線スペクトルを使用するセルラー式無線機器を展開するためのアクセスアーキテクチャが提案されている。センチメートル波無線スペクトル（３〜３０ＧＨｚ）など、他の例示的なスペクトルも使用することができる。
【０００３】
より高い搬送波周波数におけるどのような減衰の増加も、例えば、多素子アンテナアレイを導入することにより、および、それに応じて、アクセスポイント（ＡＰ）／基地局（ＢＳ）および／またはユーザデバイスにおけるビーム形成で得られたアンテナ利得により補償することができる。しかし、１つのビームから別のビームに切り換えるためのビーム切換えをデバイスが実行するための時間が必要になる。
【発明の概要】
【課題を解決するための手段】
【０００４】
例示的な実装形態によれば、方法は、少なくとも１つのガード期間（ｇｕａｒｄ  ｐｅｒｉｏｄ）の構成を示す信号を、基地局により少なくとも１つのユーザデバイスに送るステップを含むことができ、少なくとも１つのガード期間は、同じリンク方向のサブフレーム部分の間に設けられる。
別の例示的な実装形態によれば、装置は、少なくとも１つのプロセッサと、少なくとも１つのプロセッサにより実行されたとき、装置に、同じリンク方向のサブフレーム部分の間に設けられる少なくとも１つのガード期間の構成を示す信号を、基地局により少なくとも１つのユーザデバイスに送らせるコンピュータ命令を含む少なくとも１つのメモリとを含むことができる。
【０００５】
別の例示的な実装形態によれば、コンピュータプログラム製品は、実行可能コードを記憶したコンピュータ可読記憶媒体を含むことができ、実行可能コードは、少なくとも１つのデータ処理装置により実行されたとき、少なくとも１つのデータ処理装置に、同じリンク方向のサブフレーム部分の間に設けられる少なくとも１つのガード期間の構成を示す信号を、基地局により少なくとも１つのユーザデバイスに送らせるように構成される。
別の例示的な実装形態によれば、装置は、同じリンク方向のサブフレーム部分の間に設けられる少なくとも１つのガード期間の構成を示す信号を、基地局により少なくとも１つのユーザデバイスに送るための手段と、少なくとも１つのガード期間が、１つまたは複数の特定のサブフレームに対して設けられるかどうかを示すシグナリングを、基地局により少なくとも１つのユーザデバイスに送るための手段とを含むことができる。
例示的な実装形態によれば、方法は、同じリンク方向のサブフレーム部分の間に設けられる少なくとも１つのガード期間の構成を示す信号を、基地局からユーザデバイスが受信するステップを含むことができる。
【０００６】
別の例示的な実装形態によれば、装置は、少なくとも１つのプロセッサと、少なくとも１つのプロセッサにより実行されたとき、装置に、同じリンク方向のサブフレーム部分の間に設けられる少なくとも１つのガード期間の構成を示す信号を、基地局からユーザデバイスにより受信させるコンピュータ命令を含む少なくとも１つのメモリとを含むことができる。
別の例示的な実装形態によれば、コンピュータプログラム製品は、実行可能コードを記憶したコンピュータ可読記憶媒体を含むことができ、実行可能コードは、少なくとも１つのデータ処理装置により実行されたとき、少なくとも１つのデータ処理装置に、同じリンク方向のサブフレーム部分の間に設けられる少なくとも１つのガード期間の構成を示す信号を、基地局からユーザデバイスにより受信させるように構成される。
【０００７】
別の例示的な実装形態によれば、装置は、同じリンク方向のサブフレーム部分の間に設けられる少なくとも１つのガード期間の構成を示す信号を、基地局からユーザデバイスが受信するための手段と、少なくとも１つのガード期間が、１つまたは複数の特定のサブフレームに対して設けられるかどうかを示すシグナリングを、基地局からユーザデバイスが受信するための手段とを含むことができる。
実装形態の１つまたは複数の例の詳細は、添付図面および以下の説明に記載される。他の特徴は、本明細書および図面から、ならびに特許請求の範囲から明らかになろう。
【図面の簡単な説明】
【０００８】
【図１】例示的な実装形態による無線ネットワークのブロック図である。
【図２】例示的な実装形態による無線送受信機の図である。
【図３】説明用の例示的な実装形態による無線システムアーキテクチャを示す図である。
【図４】例示的な実装形態によるいくつかの説明用のサブフレームフォーマットを示す図である。
【図５】例示的な実装形態による、ガード期間２（ＧＰ２）が、サブフレーム内で同じリンク方向のサブフレーム部分の間に設けられるサブフレームフォーマットを示す図である。
【図６】例示的な実装形態による、サブフレーム内で同じリンク方向のサブフレーム部分の間にＧＰ２（ガード期間２）、およびサブフレーム間で同じリンク方向のサブフレーム部分の間にＧＰ３（ガード期間３）を含むサブフレームを示す図である。
【図７】別の例示的な実装形態による、２つのサブフレームを示す図である。
【図８】別の例示的な実装形態による、ＧＰ２およびＧＰ３の使用を示す図である。
【図９】別の例示的な実装形態による、ＧＰ３が設けられるサブフレームを示す図である。
【図１０】例示的な実装形態による、ＧＰ２またはＧＰ３のいずれも設けられないサブフレームを示す図である。
【図１１】例示的な実装形態による、ＧＰ２が設けられるサブフレームを示す図である。
【図１２】例示的な実装形態による、ＧＰ２が設けられないサブフレームを示す図である。
【図１３】例示的な実装形態による、ガード期間構成が伝達され得る制御信号を示す図である。
【図１４】例示的な実装形態による、基地局／アクセスポイントの動作を示す流れ図である。
【図１５】例示的な実装形態による、ユーザデバイスの動作を示す流れ図である。
【図１６】例示的な実装形態による無線局（例えば、基地局／アクセスポイント、または移動局／ユーザデバイス）のブロック図である。
【発明を実施するための形態】
【０００９】
図１は、例示的な実装形態による無線ネットワーク１３０のブロック図である。図１の無線ネットワーク１３０では、移動局（ＭＳ）またはユーザ機器（ＵＥ）とも呼ばれ得るユーザデバイス１３１、１３２、１３３、および１３５は、アクセスポイント（ＡＰ）と接続（および通信）することができ、それはまた、基地局（ＢＳ）または進化型ノードＢ（ｅＮＢ）と呼ぶこともできる。アクセスポイント（ＡＰ）、基地局（ＢＳ）、または（ｅ）ノードＢ（ｅＮＢ）の機能のうちの少なくとも一部はまた、遠隔無線ヘッドなど、送受信機に動作可能に結合され得る任意のノード、サーバ、またはホストによって実行することができる。ＡＰ１３４は、ユーザデバイス１３１、１３２、１３３、および１３５に対するものを含む無線カバレッジをセル１３６内で提供する。ＡＰ１３４に接続される、またはアタッチされるものとして４つのユーザデバイスだけが示されているが、任意の数のユーザデバイスを提供することができる。ＡＰ１３４はまた、Ｓ１インターフェース１５１を介してコアネットワーク１５０に接続される。これは、無線ネットワークの単なる一例に過ぎず、他のものを使用することもできる。
【００１０】
ユーザデバイス（ユーザ端末、ユーザ機器（ＵＥ））は、これだけに限らないが、以下のタイプのデバイス、すなわち、移動局（ＭＳ）、移動電話、携帯電話、スマートフォン、携帯情報端末（ＰＤＡ）、送受話器、無線モデムを用いるデバイス（警報または測定デバイスなど）、ラップトップおよび／またはタッチスクリーンコンピュータ、タブレット、ファブレット、ゲーム機器、ノート型パソコン、ならびにマルチメディアデバイスを例として含む、加入者識別モジュール（ＳＩＭ）を使用して、または使用せずに動作する無線移動通信デバイスを含む可搬型コンピューティングデバイスを指すことができる。ユーザデバイスはまた、ほぼ専用のアップリンクだけのデバイスとすることができ、その例は、画像またはビデオクリップをネットワークにロードするカメラまたはビデオカメラであることを理解されたい。
【００１１】
ＬＴＥ（例として）では、コアネットワーク１５０は、進化型パケットコア（ＥＰＣ）と呼ぶことができ、それは、ＢＳ間でユーザデバイスのモビリティ／ハンドオーバを処理または支援することのできるモビリティ管理エンティティ（ＭＭＥ）と、ＢＳとパケットデータネットワークすなわちインターネットとの間でデータを転送し、信号を制御することのできる１つまたは複数のゲートウェイと、他の制御機能またはブロックとを含むことができる。
様々な例示的な実装形態は、ＬＴＥ、ＬＴＥ−Ａ、５Ｇ、センチメートル波、および／もしくはミリ波帯域ネットワーク、または任意の他の無線ネットワークなど、多種多様な無線技術または無線ネットワークに適用することができる。ＬＴＥ、５Ｇ、センチメートル波、およびミリ波帯域ネットワークは、説明用の例として提供されているに過ぎず、様々な例示的な実装形態を、任意の無線技術／無線ネットワークに適用することができる。
【００１２】
図２は、例示的な実装形態による無線送受信機の図である。無線送受信機２００は、例えば、アクセスポイント（ＡＰ）もしくはｅＮＢなどの基地局（ＢＳ）、または他の無線デバイスで使用することができる。無線送受信機２００は、送信経路２１０および受信経路２１２を含むことができる。
【００１３】
送信経路２１０において、デジタル−ｔｏ−アナログ変換器（Ｄ−Ａ）２２０は、１つまたは複数のアプリケーションからデジタル信号を受信し、デジタル信号をアナログ信号に変換することができる。アップミキシング（ｕｐｍｉｘｉｎｇ）ブロック２２２は、アナログ信号をＲＦ（例えば、無線周波数）信号へとアップコンバートすることができる。電力増幅器（ＰＡ）２２４が、次いで、アップコンバートされた信号を増幅する。増幅された信号は、次いで、送信／受信（Ｔ／Ｒ）スイッチ（または送信用周波数に変更するための周波数分割二重通信用のダイプレクサ２２６）を通過する。Ｔ／Ｒスイッチ２２６から出力された信号は、次いで、アンテナ２２８Ａ、２２８Ｂ、および／または２２８Ｃなど、アンテナ２２８のアレイにおける１つまたは複数のアンテナに出力される。アンテナ２２８のアレイにおける１つまたは複数のアンテナにより送信される前に、１組のビームウェイトＶ1、Ｖ2、・・・、またはＶQが信号と混合されて、送信用の信号に利得および位相を適用する。例えば、利得および位相、Ｖ1、Ｖ2、・・・、またはＶQが、Ｔ／Ｒスイッチ２２６から出力された信号に適用されて、各アンテナにより送信される信号を変倍することができる（例えば、信号は、アンテナ１  ２２８Ａによって送信される前にＶ1で乗算される、信号は、アンテナ２  ２２８Ｂによって送信される前にＶ2で乗算される、以下同様である）が、ここで、位相は、例えば、指向性ビームステアリングのためになど、アンテナアレイ全体により送信されるビームを操作する、または指向させるために使用することができる。したがって、ビームウェイトＶ1、Ｖ2、・・・、またはＶQ（例えば、各ビームウェイトは利得および／または位相を含む）は、特定のビーム上で信号を送信するために信号の送信時に、または送信中に適用される場合は、１組の送信ビーム形成ビームウェイトとすることができ、特定のビーム上で信号を受信するために適用される場合は、１組の受信ビーム形成ビームウェイトとすることができる。
【００１４】
無線送受信機２００の受信経路２１２において、信号は、アンテナ２２８のアレイを介して受信され、Ｔ／Ｒスイッチ２２６に入力され、次いで、低雑音増幅器（ＬＮＡ）２３０に入力されて、受信された信号を増幅する。ＬＮＡ２３０により出力された増幅信号は、次いで、ＲＦ−ベースバンド変換ブロック２３２に入力され、そこで増幅されたＲＦ信号は、ベースバンドへと低域変換される。アナログ−ｔｏ−デジタル（Ａ−Ｄ）変換器２３４は、次いで、１つまたは複数の上位層／アプリケーション層で処理するために、変換ブロック２３２により出力されたアナログのベースバンド信号をデジタル信号へと変換する。
【００１５】
様々な例示的な実装形態は、例えば、説明用の例示的な実装形態による例として、大規模（Ｍａｓｓｉｖｅ）ＭＩＭＯ（多入力、多出力）に対するサポートを備え、センチメートル波周波数（例えば、３ＧＨｚ以降）、またはミリ波周波数など高い搬送波周波数で動作するように最適化された５Ｇ無線アクセスシステム（または他のシステム）に関することができる。これらの例示的なシステムは、通常、増加する経路損失を補償するために高いアンテナ利得を必要とすることにより、および、ますます増え続ける無線トラフィックに応ずるために、高い容量および高いスペクトル効率を必要とすることにより特徴付けられる。例示的な実装形態によれば、高い搬送波周波数で増加する減衰は、例えば、大規模な（マルチ素子）アンテナアレイを導入し、それに応じたアクセスポイント（ＡＰ）／基地局（ＢＳ）でのビーム形成で得られたアンテナ利得により補償され得る。このスペクトル効率は、通常、システムがサポートできる空間ストリームの数、したがって、ＡＰ／ＢＳのアンテナポートの数で改善され得る。
【００１６】
図３は、説明用の例示的な実装形態による無線システムアーキテクチャを示す図である。送信方向と受信方向が共に示されている。送信方向においては、無線システムアーキテクチャ３００は、Ｍ個のアンテナポート３１２にマップされる／提供される複数のシンボル（例えば、ＯＦＤＭ／直交周波数分割多重シンボル）３１０を受信／生成する。この説明用の例におけるアンテナポート３１２は、物理的なアンテナポートを指すものではない。そうではなくて、アンテナポート３１２は、例えば、説明用の例としてＬＴＥで定義されるように、それらの参照信号シーケンスにより区別され得る論理的なアンテナポート（論理的なエンティティ）を指す。複数の（論理的な）アンテナポート信号は、例えば、単一のアンテナ／単一のアンテナアレイを介して送信することができる。送受信機ユニットアレイ３１６は、Ｋ個の送受信機（ワイヤレス／無線送信機／受信機）ユニット（ＴＸＲＵ）を含む。アンテナポート仮想化ブロック３１４は、Ｍ個のアンテナポートと、送受信機ユニットアレイ３１６のＫ個のデジタル入力との間のマッピングを実行する（例えば、Ｍ個のアンテナポートとＫ個のＴＸＲＵとの間のマッピングを実行する）。送受信機ユニットアレイ３１６のＲＦ側において、無線配信ネットワーク３１８は、例えば、各ＴＸＲＵを、アンテナアレイ３２０の１つまたは複数のアンテナ素子にマッピングする、または接続することにより、ＴＸＲＵ仮想化を実行する。１つのＴＸＲＵを、ＴＸＲＵ仮想化に応じて、すなわち、ＴＸＲＵとアンテナ素子との間のマッピングに応じて、｛１・・・Ｌ｝個のアンテナ素子に接続することができる。マッピングは、サブアレイまたは完全な接続のいずれかとすることができる。サブアレイモデルにおいては、１つのＴＸＲＵが、アンテナ素子のサブセットに接続され、別のサブセットは分離され得るが、完全な接続モデルでは、各ＴＸＲＵは、アンテナアレイ３２０の各アンテナ素子に、またはすべてのアンテナ素子に接続される。無線配信ネットワーク（ＲＤＮ）３１８は、ＲＦドメインにおいてアンテナの仮想化を実行する。
この説明用の例示的な実装形態では、送信方向において、Ｍ個のアンテナポートは、Ｋ個のＴＸＲＵにフィードし、またＫ個のＴＸＲＵは、Ｌ個のアンテナ素子にフィードし、ここで、Ｍ≦Ｋ≦Ｌである。
【００１７】
ベースバンド処理の複雑さおよび電力消費により、通常、アンテナポートの数Ｍを、センチメートル波システム（説明用の例として）におけるＬよりもはるかに少ない数に制限する可能性があり、ここで、Ｌは、例えば、数十から数百までとすることができる。説明用の例示的な実装形態では、ＴＸＲＵ（電力増幅器を除く）の電力消費は、主としてＤＡＣ（デジタル−ｔｏ−アナログ変換器（単数又は複数））によるものであり、その電力消費は、通常、帯域幅にほぼ直線的に比例し、またＡＤＣ（アナログ−ｔｏ−デジタル変換器）のビットの数に指数的に比例し得る（Ｐ〜Ｂ×２2R、式中Ｂは帯域幅であり、Ｒはサンプルごとのビットである）。例として、通常、１６ビットのＡＤＣが、例えば、ＬＴＥで使用される。したがって、ＴＸＲＵの電力消費は、ＴＸＲＵの実行可能な数をＬ未満に制限することになり得る。例えば、ＬＴＥでは、ＴＸＲＵの数（すなわち、Ｋ）は、ＵＥにより規定され、測定され得るＣＳＩ−ＲＳ（チャネル状態情報参照信号）により識別されたアンテナポートの最大数を規定する。
【００１８】
デジタルＡＡＳ、ハイブリッドＡＡＳ、およびアナログＡＡＳなどの様々なタイプの適応型アンテナシステム（ＡＡＳ）、またはビーム形成システムを使用することができ、これらのＡＡＳシステムのいくつかの例示的な実装形態は、例えば、以下のように要約することができる。
デジタルＡＡＳ：ユーザデバイスごとに１つまたは複数の空間層、デジタルプリコーディングだけである、Ｋ＝Ｌ（Ｍ≦Ｋ）。
アナログＡＡＳ：ユーザデバイスごとに１つの空間層、デジタルプリコーディングはなく、アナログのビーム形成だけである、Ｋ＜Ｌ（Ｍ＝１）、ＴＸＲＵからアンテナ素子へ１対多のマッピング。
ハイブリッドＡＡＳ：ユーザデバイスごとに１つまたは複数の空間層、アナログビーム形成とデジタルビーム形成だけ（およびデジタルプリコーディング）を共に含む、Ｋ＜Ｌ（Ｍ≦Ｋ）、ＴＸＲＵからアンテナ素子へ１対多のマッピング。
【００１９】
通常、ＬＴＥなどのセルラー式システムは、ダウンリンク同期化、ブロードキャスト、アンテナポートベースの共通参照信号などのような、共通の制御プレーン送信についてはセクタワイドビームに依拠する。しかし、例えば、より高い搬送波周波数で動作するシステムなどのいくつかのシステムは、狭い（より狭い）ビームで動作することを意味する比較的高いアンテナ利得を必要とする可能性がある。例えば、数十から数百メートル（説明用の例に過ぎないが）のサイト間の距離を有するセルサイズをサポートするために、例えば、共通の制御プレーンに対して、シグナリングは、セクタより狭いビームを利用する必要があり得る。狭いビームを用いて、セクタの角度領域にカバレッジを提供するために、複数のデータ自立型ビームを生成することができる。
【００２０】
例示的な実装形態によれば、デジタルアーキテクチャを備えたＡＰは、同時に複数のビームを、または１回にすべてのビームを適用することもできる。したがって、このような場合、様々なユーザデバイスを用いて送信または受信するとき、デジタルアーキテクチャに対して、より少ないビーム切換えが必要になり得る。しかし、アーキテクチャおよびアクセスポイント（ＡＰ）の能力に応じて、ＡＰは、セクタ全体を直ちにカバーできるほど多くのビームを並列に生成するためのハードウェア資源（すなわち、ＴＸＲＵ）または送信電力を有しない可能性がある。そうではなくて、例示的なハイブリッドアーキテクチャＡＰを動作させることは、例えば、共通の制御プレーンシグナリング、もしくはビーム領域における他の信号、またはその他の信号に対して、セルの様々な領域／部分において狭いビーム（単数又は複数）の連続的な送信を必要とする可能性がある。それに対応してアップリンクでは、例示的な実装形態に従って、ハイブリッドアーキテクチャを備えたＡＰ／ＢＳは、現在のＲＦビーム（単数又は複数）が向かっている方向からの信号だけを受信することができるが、それは、１度に１つまたはいくつかの狭いビームだけであり得る。同様に、ダウンリンクにおいて、ＡＰは、ビーム（例えば、または１組の狭いビーム）が、ＡＰによって向けられた、または指向されたユーザデバイスに対してだけ信号を送信することができる。したがって、狭いビームを使用する場合、ＡＰ／ＢＳは、少なくともいくつかの場合において（例えば、ハイブリッドアーキテクチャＡＰに対してなど）、異なるユーザデバイスに送信する、またはそこから受信するとき、ビームの切換え（例えば、ビームを切り換えること）を実行する必要があり得る（それは、異なるビームは、様々な場所にあるユーザデバイスと通信する必要があり得るからである）。しかし、ビーム切換えを実行するには時間が必要となるが、それは、ビーム切換えは、例えば、異なる組のビームウェイトをＴＸＲＵに適用し、次いで、このようなビームウェイトに基づいて信号を送信または受信するために、新しいビーム（単数又は複数）を生成することが必要になり得るからである。
【００２１】
したがって、例示的な実装形態によれば、ＡＰまたはユーザデバイスにビーム切換えを実行する時間を与えるために、１つまたは複数のガード期間（ＧＰ）を、同じリンク方向のサブフレーム部分の間に設けることができる。説明用の例示的な実装形態によれば、３つの異なるタイプのガード期間（ＧＰ）の１つまたは複数の（またはさらにすべての）ものをサブフレーム構成またはガード期間構成の一部として設けることができ、それは以下のものを含む。例えば、１）ガード期間１（ＧＰ１）は、例えば、無線ＴＸＲＵを送信と受信の間で切り換えることができるように、また送信する無線デバイスと受信する無線デバイスとの間の伝播遅延に適応するために、サブフレームのアップリンク部分とサブフレームのダウンリンク部分との間に設けることができる（ＧＰ１はまた、無線デバイス（例えば、ＡＰ、ユーザデバイス）が同様にビーム切換えを実施できる十分な時間を提供することができる）、２）ガード期間２（ＧＰ２）は、例えば、ＡＰおよびユーザデバイス（単数又は複数）が、これらのサブフレーム部分の間でビーム切換えを実施できるようにするために、サブフレーム内の同じリンク方向のサブフレーム部分の間に設けることができる、また３）ガード期間３（ＧＰ３）は、例えば、ＡＰまたはユーザデバイス（単数又は複数）が、このようなサブフレーム部分の間でビーム切換えを実施できるようにするために、異なるサブフレームの同じリンク方向のサブフレーム部分の間に設けられる。
【００２２】
例示的な実装形態によれば、リンク方向は、アップリンク送信（ユーザデバイスからＡＰへのアップリンク方向）、またはダウンリンク方向（ＡＰからユーザデバイスへのダウンリンク方向）のいずれかを指すことができる。したがって、同じリンク方向のサブフレーム部分は、両方のアップリンクサブフレーム部分（アップリンク信号またはデータを送信するためのサブフレームの部分）であるサブフレーム部分、または両方のダウンリンクサブフレーム部分（ダウンリンク信号またはデータを送信するためのサブフレームの部分）であるサブフレーム部分を含むことができる。サブフレーム部分は、データを送信するためのサブフレームのデータ部分、および制御信号またはシグナリングを送信するためのサブフレームの制御部分を含むことができる。
したがって、例示的な実装形態によれば、ＲＦビーム切換えのためのサポートが提供される。様々なサブフレームタイプに対して、ガード期間の構成可能なグリッドが提供され得る。
【００２３】
ＧＰ１（ガード期間１、または第１のガード期間は、例えば、デバイスに、送信から受信に切り換える、または受信から送信に切り換えるための時間を与えるために、および２つの無線デバイス間の伝播遅延または待ち時間に適応するために、異なるリンク方向のサブフレーム部分の間に設けることができる（例えば、ＧＰ１は、アップリンクサブフレーム部分とダウンリンクサブフレーム部分との間に設けられる）。異なるリンク方向のサブフレーム部分の間に設けられるＧＰ１はまた、無線デバイス（例えば、ＡＰおよび／またはユーザデバイス）が、ＧＰ１中にビーム切換えを実施できるようにするには十分なものであり得る）。
ＧＰ２（ガード期間２、または第２のガード期間）は、サブフレーム内において、同じリンク方向の制御部分とデータ部分との間のＧＰ２など、同じリンク方向のサブフレーム部分の間にスケジュールされる、または予約することができる。
【００２４】
さらに、例示的な実装形態によれば、サブフレームの最後にＧＰがない場合（例えば、リンク方向切換え／切換えの機会のため）、ＧＰ３（ガード期間３、または第３のガード期間）を設ける必要性があり得、ＧＰ３は、機能的にＧＰ２と同様のものであり得るが、異なるサブフレームの同じリンク方向のサブフレーム部分の間に設けることができる。異なるサブフレームの同じリンク方向のサブフレーム部分の間にＧＰ３を設けることにより、ＧＰ３は、例えば、第１のサブフレームの最後に、または第２のサブフレームの最初に、例えば設けることができる。このように、１つまたは複数のガード期間を、ＲＦ（無線周波数）ビーム切換えを容易に（または可能に）するために設けることができる。
【００２５】
例示的な実装形態によれば、ガード期間ＧＰ２および／またはＧＰ３を可能にするために使用できるいくつかの選択肢がある。ＧＰ２は、ガード期間（ＧＰ）の一部とすることができ、それは、有効にＧＰ１を減らすことができる。これは、例えば、特別なダウンリンクサブフレーム（Ｓ−ＤＬ）および／または特別なアップリンクサブフレーム（Ｓ−ＵＬ）に適用することができる。例えば、ＧＰ１が低減され得、ＧＰ１からの１つまたは複数のシンボルまたはリソースが、例えば、ＧＰ２および／またはＧＰ３を提供するために使用することができる。
例示的な実装形態によれば、ＧＰ２および／またはＧＰ３の１つまたは複数のシンボルは、ＲＦビーム切換えを可能にするために、ＡＰ／ＢＳが以下の１つまたは複数を実行することにより、ＡＰ／ＢＳによって提供される、または取得され得る、すなわち、説明用の例としてであるが、サブフレームの１つまたは複数のデータシンボルをパンクチャする（ｐｕｎｃｔｕｒｉｎｇ）こと、サブフレームの巡回プレフィックスの１つまたは複数のシンボルをパンクチャすること、異なるリンク方向のサブフレーム部分間に設けられるガード期間（例えば、ＧＰ１）を短縮すること、および／またはサブフレームのゼロテール（ｚｅｒｏ  ｔａｉｌ）の１つまたは複数のシンボルを増加させること（例えば、その場合、ゼロテールのゼロ値は、例えば、ビーム切換えのためのガード期間、ＧＰ２、および／またはＧＰ３として使用できる）。
【００２６】
ＧＰ２および／またはＧＰ３はまた、例えば、通常のシンボルサイズの１／２または１／４の長さを有するシンボルなど、サブフレーム内の１つまたは複数のシンボルに対して分数のシンボルを使用することにより使用可能になり得、シンボル（単数又は複数）の残りの部分は、例えば、ＧＰ２および／またはＧＰ３などのガード期間用に使用される。説明用の例によれば、通常のシンボルを生成するために、２０４８のＦＦＴ（高速フーリエ変換）サイズが使用されるとき、分数シンボルは、１０２４または５１２のＦＦＴサイズ（ＦＦＴサイズ５１２を有する最高３シンボル）を用いて作ることができる。その場合、残りの時間は、例えば、ＲＦビーム切換え用に（例えば、ＧＰ２またはＧＰ３として）利用可能である。
【００２７】
さらに例示的な実装形態によれば、ＡＰ／ＢＳが、ユーザデバイス／ＵＥを、ＧＰ２および／またはＧＰ３を含むガード期間構成（サブフレーム構成と呼ぶこともできる）を用いて構成する場合、すべてのユーザデバイス／ＵＥは、例えば、ＧＰ２および／またはＧＰ３が１つまたは複数の特定のサブフレームには提供されないことを示す後続する命令、または制御信号が、ＡＰ／ＢＳによって送られない（かつユーザデバイスにより受信されない）限り、その構成に従うことができる。このような場合、ＡＰ／ＢＳからの後続する命令または制御信号により示されるように、ＧＰ２および／またはＧＰ３が、このようなサブフレーム（単数又は複数）に設けられることはない。一実施形態においては、ＧＰ２および／またはＧＰ３が提供されることを示すシグナリングは、共通の制御シグナリングなど、セル固有のシグナリングとすることができる。一実施形態においては、ＧＰ２および／またはＧＰ３が設けられない（または設けられる）ことを示すシグナリングは、ＵＥ固有の制御シグナリングなど、ユーザデバイス固有のシグナリングとすることができる。
【００２８】
したがって、１つまたは複数の例示的な実装形態によれば、ＧＰ２は、すべてのサブフレームに、または所定のサブフレームだけに含むことができる。ＧＰ２および／またはＧＰ３が存在することはまた、サブフレームに一定の信号タイプ（例えば、制御信号、または参照信号）が存在することに依存することができる。ＧＰ２および／またはＧＰ３の存在は、制御、データ、およびＲＳ（参照信号）に関連するＡＰ／ＢＳのスケージューリング判断に従って動的に変化する可能性がある。例示的な実装形態では、ＧＰ２および／またはＧＰ３は、ＧＰ２に対するサブフレーム内で（またはＧＰ３の場合、サブフレーム間で）ＲＦビームの変更が、ＡＰ／ＢＳおよび／またはユーザデバイスにより実行される場合に限って、存在することができる。これは、サブフレームごとに、またＲＦビームごとに変わる可能性がある。ＧＰ２および／またはＧＰ３の存在は、ダウンリンク制御情報（ＤＣＩ）で示すことができる。ＤＣＩはまた、含まれているサブフレーム（単数又は複数）におけるＤＬ（ダウンリンク）またはＵＬ（アップリンク）データ部分の長さを調整することができる。
【００２９】
さらに例示的な実装形態によれば、ＧＰ２および／またはＧＰ３ガード期間（単数又は複数）は、例えば、説明用の例として、ハイブリッドシステム／アーキテクチャが使用されるとき、および／またはＡＰ／ＢＳ（および／またはユーザデバイス／ＵＥ）が、同じリンク方向のサブフレーム部分の間でビーム切換えを実行する必要があるときに使用され／選択され得る。いくつかの場合において、ＧＰ１のリソースまたはシンボルを、ＧＰ２および／またはＧＰ３と共有する（または作成する）ことの根拠は、例えば、より高い搬送波周波数におけるハイブリッドシステム／アーキテクチャは、通常、より低い搬送波周波数のフルデジタルシステムで通常使用される高電力ＰＡと比較して、オン−オフおよびオフ−オン移行時間が短い比較的低電力ＰＡを用いる分散されたＰＡ（電力増幅器）アーキテクチャに基づく可能性のあることを含むことができる。
【００３０】
別の例示的な実装形態では、ガード期間のさらなるグリッドを適用するために２段階のシグナリング手順を使用することができ、それは以下のものを含む。すなわち、第１の段階では、ガード期間（ＧＰ２およびＧＰ３）のセル固有のグリッドのセル固有のシグナリングは、例えば、ＧＰ２および／またはＧＰ３が使用される、または設けられることを示すために知らされる（シグナルされる）ことができる。一実施形態では、第１の段階のシグナリングは、ＧＰ２およびＧＰ３が、セルに対して構成される（またはされない）ことを示す１ビットの指示とすることができる。このガード期間構成（またはサブフレーム構成）情報は、ダウンリンク共通制御シグナリングおよび／またはダウンリンク制御情報（ＤＣＩ）の一部として知らされることができる。例として、周期的に送信されて、ユーザデバイス／ＵＥがセルを検出し、アクセスするための信号を提供できる発見信号ブロック（ＤＳＢ）は、例えば、ＧＰ２および／またはＧＰ３が設けられるかどうか、またどのサブフレームに対するものかなど、ガード期間に関して適用されたセル固有のグリッドに関する情報を含むことができる。例示的な実装形態によれば、ＡＰ／ＢＳが、ＧＰ２および／またはＧＰ３を使用することを知らせた後、専用の制御チャネルを介してその他の形でユーザデバイス／ＵＥに知らせない限り、ユーザデバイス／ＵＥは、常にＧＰ２および／またはＧＰ３（例えば、知らされた通り、ＧＰ２とＧＰ３の両方、またはその一方）を適用することができる。
【００３１】
第２の段階では、ユーザデバイス／ＵＥ固有の制御チャネルシグナリングを、ＡＰ／ＢＳによってユーザデバイス／ＵＥに送ることができ、それは、例えば、所与の、または示されたサブフレーム（単数又は複数）に対するガード期間（例えば、ＧＰ２およびＧＰ３）構成を無効にすることができる。したがって、これは、ＡＰ／ＢＳが、例えば、第１の制御信号を使用して、すべての（または１群の）サブフレームに対して、および／またはすべてもしくは１群のＵＥに対して、ＧＰ２／ＧＰ３の使用を有効にすることが可能となり得、次いで、その後に、第２の制御信号を送り、１つまたは複数のサブフレームに対して、および／または１つまたは複数のユーザデバイス／ＵＥに対して、ＧＰ２／ＧＰ３の使用を選択的に無効にする、または使用不能にすることができる。ＡＰ／ＢＳは、例えば、ＧＰ２および／またはＧＰ３はいずれも、許可されたサブフレーム（単数又は複数）上で（ＤＬまたはＵＬ許可が適用されたサブフレーム上で）ＤＬデータを受信するために、またはＵＬデータを送信するために適用されないことを、ＤＬまたはＵＬ許可シグナリングの一部として、ユーザデバイス／ＵＥに知らせることができる。こうすることにより、ＡＰ／ＢＳが、特定のサブフレーム（単数又は複数）上で、ユーザデバイス／ＵＥにデータを送信する、またはユーザデバイス／ＵＥからデータを受信するように割り当てられた送受信機ユニットに対して、ＲＦビーム（単数又は複数）を切り換える必要がない場合に、オーバヘッドを低減することが可能になる。それは、ユーザデバイス／ＵＥに割り当てられた特定の送受信機ユニット（単数又は複数）が、ＡＰ／ＢＳにおける前の送信または受信と同じＲＦビームを使用している場合、またはビームが、前の送信または受信には全く使用されておらず、ＡＰ／ＢＳにおけるＲＦビーム切換え（正しいビームを適用する）が、データシンボルが開始する前に行うことができる場合であり得る。さらなる説明用の例示的な実装形態および例の細部が、以下でより詳細に述べられる。
【００３２】
いくつかの実施形態では、シグナリングの第１の段階はなく（または第１の段階のシグナリングは、ＧＰ２およびＧＰ３がセルで構成されないことを示す）、またシグナリングの第２の段階は、ＧＰ２および／またはＧＰ３が、いくつかのサブフレーム（単数又は複数）で適用される必要がある（またはされる）ことを特定のＵＥ（単数又は複数）に選択的に示す。
【００３３】
図４は、例示的な実装形態による、いくつかの説明用のサブフレームフォーマットを示す図である。広範囲の展開シナリオをサポートするために、例えば、異なるサブフレーム構造／フォーマットを使用することができる。ガード期間ＧＰ１は、ＤＬ／ＵＬおよびＵＬ／ＤＬ切換え時間のために使用することができ、また双方向制御を用いた待ち時間の最適化サブフレーム構造を使用することが可能となり得る。他方で、方向切換えからのオーバヘッドは、例えば、いくつかの場合にスループットを増加し、オーバヘッドを減少させるために、共に連結することもできるダウンリンク専用、またアップリンク専用サブフレームの使用を可能にする、または促進することができる。ダウンリンク専用のサブフレームは、サブフレームの最初に制御ブロックを有することができる。それはまた、いくつかのサブフレームから除外することができる（例えば、複数のＤＬ専用サブフレームを連結する場合など）。特別なダウンリンク（Ｓ−ＤＬ）サブフレームは、ダウンリンク制御部分としてＤｗＰＴＳ１（ダウンリンクパイロットタイムスロット１と呼ぶことができる）と、サブフレームのデータ部分としてＤｗＰＴＳ２との２つのダウンリンク部分を含むことができる。例えば、ＤｗＰＴＳ１（サブフレームのダウンリンク制御部分）は、例えば、ダウンリンク制御シンボルに対して割り当てることができ、一方、ＤｗＰＴＳ２（サブフレームのダウンリンクデータ部分）は、ダウンリンクデータシンボルに対して割り当てることができる。同様にＳ−ＵＬの場合、ＵｐＰＴＳ１（サブフレームのアップリンク制御部分）は、アップリンク制御シンボルに対して提供することができ、またＵｐＰＴＳ２（サブフレームのアップリンクデータ部分）は、アップリンクデータシンボルに対して割り当てることができる。ＧＰ１は、ＵＬサブフレーム部分とＤＬサブフレーム部分との間でリンク方向を切り換えるために設けられたガード期間１を表しており、それはまた、必要に応じて、ＲＦビーム切換えに使用することができる。
【００３４】
いくつかの例示的なサブフレームフォーマットが、説明用の例として図４で示されている。ダウンリンク専用サブフレーム４１０は、ダウンリンク制御部分４１２、およびダウンリンクデータ部分４１４を含むことができる。アップリンク専用サブフレーム４２０は、アップリンクデータ部分４２２およびアップリンク制御部分４２４を含むことができる。特別なダウンリンクサブフレーム４３０は、ダウンリンク制御部分４３２、ダウンリンクデータ部分４３４、ＧＰ１  ４３６、次いでアップリンク制御部分４３８を含むことができる。したがって、サブフレーム４３０においては、ＧＰ１  ４３６は、説明用の例として、ダウンリンクデータ部分４３４と、アップリンク制御部分４３８との間に設けられる。特別なアップリンクサブフレーム４４０は、ダウンリンク制御部分４４２、ＧＰ１  ４４４、アップリンクデータ部分４４６、およびアップリンク制御部分４４８を含むことができる。ＧＰ１  ４４４は、ダウンリンク制御部分４４２とアップリンクデータ部分４４６との間に設けられる。
【００３５】
しかし、ＡＰ／ＢＳが、同じリンク方向のサブフレーム部分の間でＲＦビーム切換えを実行することが必要になり得る状況が生ずる可能性がある。例えば、図４で示された１つまたは複数のサブフレームにおいて、隣接するサブフレーム部分を、例えば、ＡＰ／ＢＳにより、異なるユーザデバイス／ＵＥに送信する可能性があり、および／または隣接するサブフレーム部分が、異なるユーザデバイス／ＵＥからＡＰ／ＢＳによって受信されることもあり得る。例えば、特別なダウンリンクサブフレーム４３０において、ダウンリンク制御部分４３２は、ユーザデバイス１へのアップリンク許可を含むことができる（ここで、ＵＬ許可は、次のまたは後のサブフレームに対するものである）。したがって、例えば、ダウンリンク制御部分４３２は、ＡＰ／ＢＳにより、ビームＡを介してユーザデバイス１に送ることができる（例えば、将来のサブフレーム用にアップリンク許可をユーザデバイス１に提供する）。さらにＡＰ／ＢＳはまた、ビームＢ（ビームＡとは異なるビームである）を介して、ダウンリンクデータ部分４３４をユーザデバイス２に送ることができる。したがって、この例では、ＡＰ／ＢＳは、ダウンリンク制御部分４３２（ＡＰは、ユーザデバイス１に送信するためにビームＡを適用する）と、ダウンリンクデータ部分４３４（ＡＰは、ユーザデバイス２に送信するためにビームＢを適用する）との間でＲＦビーム切換えを実施する必要があることになる。ダウンリンク制御部分４３２およびダウンリンクデータ部分４３４は、同じリンク方向（ダウンリンク）に対するものであることに留意されたい。
【００３６】
同様に、ユーザデバイス／ＵＥが、同じリンク方向のサブフレーム部分の間で、ビーム切換えを実行することが必要になり得る状況が生ずる可能性がある。サブフレーム４３０において、ユーザデバイス／ＵＥは、第１の遠隔無線ヘッド（ＲＲＨ、それは、例えば、ネットワークもしくはセル内のＢＳ／ＡＰとして動作する、基地局、無線デバイス、またはＵＥの空間的に分離されたアンテナユニットとすることができる）からビームＡを介して、ダウンリンク制御部分４３２の制御情報を受信することができ、次いで、ユーザデバイス／ＵＥは、ビームＢを介して、第２の遠隔無線ヘッド（ＲＲＨ）からダウンリンクデータ部分４３４のデータを受信することができる。したがって、ＡＰ／ＢＳ（およびユーザデバイス／ＵＥ）は、この例では、サブフレーム４３０に関して、ダウンリンク部分４３２と４３４との間で、ＲＦビーム切換えを実行する必要があり得るが、例えば、ビームＡからビームＢへなどのこのようなＲＦビーム切換えに適応するためのガード期間が、サブフレーム４３０に対するサブフレーム構成において示されていない。
【００３７】
同様に、アップリンクサブフレーム部分の間のガード期間に対する必要性もまた、いくつかの状況で生ずる可能性がある。例えば、サブフレーム４４０を参照すると、ＡＰ／ＢＳは、ユーザデバイス１から、ビームＡを介して（ＡＰはビームＡを受信する）、アップリンクデータ部分４４６でデータを受信することができ、またＡＰ／ＢＳは、ビームＢを介して（ＡＰは、ビームＡとは異なるビームＢを受信する）、ユーザデバイス２からアップリンク制御部分４４８の制御信号を受信することができる。例えば、ビームＢを介して、アップリンク制御部分４４８で、ユーザデバイス２から受信された制御信号は、例えば、前のサブフレームで、ＡＰ／ＢＳによりユーザデバイス２に送られたデータに基づいたユーザデバイス２からの肯定応答／否定応答（ＡＣＫ／ＮＡＫ）データを含むことができる。したがって、この説明用の例では、ＡＰ／ＢＳは、例えば、アップリンクデータ部分４４６とアップリンク制御部分４４８との間で、ビームＡからビームＢに切り換えるために、ビーム切換えを実行する必要があることになる。同様にして、ＡＰ／ＢＳおよび／またはユーザデバイスは、異なるサブフレームの同じリンク方向のサブフレーム部分の間で、ビーム切換えを実行する必要があり得る。これらのものは、同じリンク方向のサブフレーム部分の間でＲＦビーム切換えを実行する必要があり得るいくつかの例に過ぎず、他の状況または例を使用する、または提供することもできる。
【００３８】
図５は、サブフレームフォーマットを示す図であり、例示的な実装形態に従って、ガード期間２（ＧＰ２）が、サブフレーム内で同じリンク方向のサブフレーム部分の間に設けられている。図５を参照すると、ダウンリンク専用サブフレーム５１０において、ＧＰ２  ５１４が、例えば、ＡＰ／ＢＳおよび／またはユーザデバイスが、サブフレーム部分５１２と５１６との間でビーム切換えを実施できるようにするために、ダウンリンク制御部分５１２とダウンリンクデータ部分５１６との間に設けられている。こうすることにより、例えば、ＡＰ／ＢＳは、ＡＰ送信ビームＡを介してダウンリンク制御部分５１２で制御信号を送り、次いで、ＧＰ２  ５１４中にＡＰ送信ビームＢに切り換えて、次いで、データ部分５１６中に、送信ビームＢを介してデータを送信することが可能になり得る。
【００３９】
図５で示される他のサブフレームは、サブフレーム内の同じリンク方向のサブフレーム部分の間にＧＰ２を同様に含むことができ、ＧＰ２中にＲＦビーム切換えを実施できるようにする。アップリンク専用サブフレーム５２０の場合、ＧＰ２  ５２４が、アップリンクデータ部分５２２とアップリンク制御部分５２６との間に設けられる。特別なダウンリンクサブフレーム５３０の場合、ＧＰ２  ５３４が、ダウンリンク制御部分５３２とダウンリンクデータ部分５３６との間に設けられ、一方で、ＧＰ１  ５３８が、ダウンリンクデータ部分５３６とアップリンク制御部分５３９との間に設けられる。特別なアップリンクサブフレーム５４０の場合、ＧＰ１  ５４３が、ダウンリンク制御部分５４２とアップリンクデータ部分５４４との間に設けられ、一方、ＧＰ２  ５４７が、アップリンクデータ部分５４４とアップリンク制御部分５４８との間に設けられる。したがって、ＧＰ２は、サブフレーム内で、同じリンク方向のサブフレーム部分の間で、ＲＦビーム切換えを実施できるように設けることができる。
【００４０】
図６は、サブフレーム内で同じリンク方向のサブフレーム部分の間にＧＰ２（ガード期間２）を、またサブフレーム間で、同じリンク方向のサブフレーム部分の間にＧＰ３（ガード期間３）を含むサブフレームを示す図である。サブフレーム６１０の場合、ダウンリンク制御部分６１２とダウンリンクデータ部分６１６との間にＧＰ２  ６１４が設けられる。サブフレーム６１０のダウンリンクデータ部分６１６と、サブフレーム６２０のダウンリンク制御部分６２２との間で、サブフレーム６１０の最後にＧＰ３  ６１８が設けられる。したがって、ＧＰ３（例えば、ＧＰ３  ６１８）は、２つのサブフレームの間の境界に設けられる。例えば、ＧＰ３は、例示的な実装形態によれば、第１のサブフレーム（例えば、サブフレーム６１０）の最後に、または第２のサブフレーム（例えば、サブフレーム６２０）の最初に設けることができる。ＧＰ２  ６２４は、サブフレーム６２０のダウンリンク制御部分６２２と、サブフレーム６２０のダウンリンクデータ部分６２６との間に設けられる。さらに、ＧＰ１  ６２８が、サブフレーム６２０のダウンリンクデータ部分６２６と、サブフレーム６２０のアップリンク制御部分との間に設けられる。
【００４１】
さらに図６で示されるように、サブフレーム６３０内のＧＰ１  ６３４が、ダウンリンク制御部分６３２とアップリンクデータ部分６３６との間に設けられる。サブフレーム６４０内の別のＧＰ１  ６４４が、ダウンリンク制御部分６４２とアップリンクデータ部分６４６との間に設けられる。最後に、ＧＰ２  ６４８は、アップリンクデータ部分６４６とアップリンク制御部分６４９との間に設けられる。さらに、ＵＬデータ部分６３６からＤＬ制御部分６４２への移行は、タイミングアドバンス（ＴＡ）により処理されるものと考えることができる。
【００４２】
図７は、別の例示的な実装形態による２つのサブフレームを示す図である。サブフレーム７１０に対して、ＧＰ２  ７１４が、ダウンリンク制御部分７１２とダウンリンクデータ部分７１６との間に設けられる。ＧＰ３  ７１８は、サブフレーム７１０の最後に設けられる。ＧＰ３  ７１８は、サブフレーム７１０のダウンリンクデータ部分７１６と、サブフレーム７２０のダウンリンク制御部分７２２との間に設けられる。ＧＰ２  ７２４は、ダウンリンク制御部分７２２とダウンリンクデータ部分７２６との間に設けられる。さらにＧＰ１  ７２８は、ダウンリンクデータ部分７２６とアップリンク制御部分７２９との間に設けられる。
【００４３】
例示的な実装形態によれば、２ステップのプロセスを使用することができる。第１のステップとして、ユーザデバイス／ＵＥは、適用されるセル固有のＧＰ構成に関する情報（ＧＰ２およびＧＰ３が適用されることを示す）を受け取り、ＵＥはその構成に従う。図７は、ユーザデバイス／ＵＥが受け取り、適用する、例えば、セル固有の共通制御シグナリングを介してＡＰ／ＢＳにより示された、ＧＰ２およびＧＰ３のセル固有の構成を示している。第２のステップで、専用のダウンリンク制御シグナリングは、いくつかのサブフレームにおいてダウンリンクデータを受信するとき、またはアップリンクデータを送信するとき、ＧＰ２および／またはＧＰ３が適用されるかどうかのユーザデバイス／ＵＥに関する情報を提供する。セル固有の構成なしに論議したように、特定のサブフレーム（単数又は複数）の送信／受信においてＧＰ２および／またはＧＰ３を有するべきかどうかを示す第２のステップだけとすることもできる。いくつかの実施形態では、ＧＰ２／ＧＰ３の存在は、異なるＤＣＩ（ダウンリンク制御情報）においても示すことができる。例えば、ＵＥは、サブフレームｎ＋１に対応する（またはアップリンクリソースを割り当てる）ＵＬ許可が存在することからサブフレームｎにおけるＧＰ３に対する必要性を決定することができる。
【００４４】
図８は、別の例示的な実装形態による、ＧＰ２およびＧＰ３の使用を示す図である。サブフレーム８１０に対して、ＧＰ２  ８１４が、ダウンリンク制御部分８１２と、ダウンリンクデータ部分８１６との間に設けられ、またＧＰ３  ８１８が、サブフレーム８１０のダウンリンクデータ部分８１６と、次のサブフレームのダウンリンク制御部分８１９との間に設けられる。図８に関して、ビームＡを介して、ダウンリンク制御部分８１２により提供されるＡＰ／ＢＳからのダウンリンク許可は、ＧＰ２（例えば、ＧＰ２  ８１４）およびＧＰ３（例えば、ＧＰ３  ８１８）が適用されることを示す。したがって、図８は、データを、割当て許可（ＤＣＩ／ダウンリンク制御情報）と同じサブフレームで送信できるときのダウンリンクデータ送信を示す。例えば、ＡＰ／ＢＳは、ＤＣＩ（ダウンリンク制御情報８１２により送られる）に対してＲＦビームＡを使用するが、ＡＰ／ＢＳは、ダウンリンクデータ部分８１６でデータを送信するために、ＡＰビームＡおよびＢを使用する。したがって、データ部分８１６に対してビームＢを設定するために、ＡＰ／ＢＳは、ダウンリンク制御部分８１２の後に、送受信機ユニットのビーム切換えを実行してビームＢを生成する必要がある。したがって、ダウンリンク制御部分８１２において、ＤＣＩを介してユーザデバイス／ＵＥに伝達された（またはＤｌ許可を介してＡＰ／ＢＳにより知らされた、もしくは示された）ガード期間構成は、ＧＰ２が設けられる／構成されることを示しており、またこのガード期間構成は、ダウンリンク部分８１２におけるＤＬ許可を介してＡＰ／ＢＳにより知らされる、または示すことができる。さらにＢＳは、その後のダウンリンク制御部分８１９に対してビームＡおよびＢを使用することはない。したがって、８１２で知らされたガード期間構成はまた、ＧＰ３もまた適用されることを示している。したがって、例示的な実装形態によれば、ＡＰ／ＢＳは、ＧＰ２およびＧＰ３中にビーム切換えを実行し、またユーザデバイス／ＵＥは、ダウンリンクデータを（ダウンリンクデータ部分８１６で）受け取り、またユーザデバイス／ＵＥは、ＧＰ２  ８１４およびＧＰ３  ８１８が存在するものと想定する（例えば、ダウンリンク制御部分８１２の一部として提供されるＤＣＩにより、またはＤＬ許可により提供されるガード期間構成情報に基づく）。
【００４５】
図９は、別の例示的な実装形態による、ＧＰ３が設けられるサブフレームを示す図である。サブフレーム９１０に対して、ＡＰ／ＢＳは、ビームＡによりダウンリンク制御部分９１２を送信し、次いで、同じビーム（ビームＡ）によりダウンリンクデータ部分９１４を送信する。したがって、この説明用の例では、ＡＰ／ＢＳは、部分９１２と９１４との間でＲＦビーム切換えを実行する必要がないため（切り換えるのではなく、ＡＰ／ＢＳはＡＰビームＡを使用して部分９１２と９１４の両方を送信する）、ダウンリンク制御部分９１４の一部としてＡＰ／ＢＳにより送られるダウンリンク許可は、ＧＰ３だけが提供されること、およびＧＰ２は除外されること（例えば、このサブフレームに対して）を示すガード期間構成を含む。したがって、このガード期間構成情報に基づき、ＧＰ３  ９１６が、サブフレーム９１０のダウンリンクデータ部分と、次のサブフレームのダウンリンク制御部分９１８との間に設けられ、またＧＰ２は、この（または示された）サブフレーム（単数又は複数）に対して除外される／設けられない。したがって、ＲＦビーム切換えは、ＧＰ３  ９１６中に実行され、ユーザデバイス／ＵＥは、ＧＰ２は設けられないという想定に基づいて（例えば、ダウンリンク制御部分９１２に含まれるダウンリンク許可に、またはそれと共に提供されるガード期間構成に基づいて）、ダウンリンクデータ部分９１４を受信した。ＢＳが、後続するダウンリンク制御ブロック９１８に対してビームＡを使用できないため、ＧＰ３が必要になり得る。この例では、９１２および９１４は、同じＵＥに送ることができる。しかし、９１８は、異なるＵＥに送ることができる。９１８が異なるＵＥ向けであるため、ＧＰ３を有する必要性があり得る。９１２でＧＰ３が存在することを示す１つの理由は、ＧＰ３  ９１６が、例えば、ＤＬデータブロックの最後のシンボルをパンクチャすることが必要になり得ることであり得る。
【００４６】
図１０は、例示的な実装形態による、ＧＰ２またはＧＰ３のいずれも設けられないサブフレームを示す図である。この例では、サブフレーム１０１０に対して、ＡＰ／ＢＳは、ビームＡ（同じビーム）を介して、ダウンリンク制御部分１０１２、ダウンリンクデータ部分１０１４、およびダウンリンクデータ部分１０１６（次のサブフレームの）を送信する。したがって、ダウンリンク制御部分１０１２により提供されるダウンリンク制御情報（ＤＣＩ）、および／またはＤＬ許可は、ＧＰ２またはＧＰ３のいずれも設けられない／適用されないことを示すこのサブフレーム（単数又は複数）に対するガード期間構成を含む。
【００４７】
図１１は、例示的な実装形態による、ＧＰ２が設けられるサブフレームを示す図である。サブフレーム１１１０および１１２０においては、境界サブフレーム部分（サブフレーム１１１０と１１２０との間の境界上の）は、異なるリンク方向であるため、ＧＰ３は適用可能ではない。サブフレーム１１１０に対して、ＧＰ１が、ダウンリンク制御部分１１１２とアップリンクデータ部分１１１６との間に設けられ、また別のＧＰ１  １１１８が、アップリンクデータ部分１１１６と、サブフレーム１１２０のダウンリンク制御部分１１２２との間に設けられる。さらに別のＧＰ１  １１２４が、ダウンリンク制御部分１１２２とアップリンクデータ部分１１２６との間に設けられる。この例では、ＡＰ／ＢＳは、ダウンリンク制御情報１１１２を送信するためにＲＦビームＡを使用し、またアップリンクデータ部分１１１６によりデータを受信するためにビームＡを使用する。さらにＡＰ／ＢＳは、アップリンクデータ部分１１２６とアップリンク制御部分１１２９との間でビーム切換えを実行することになる。したがって、図１１で示されたこの例では、ＡＰ／ＢＳは、ダウンリンク制御部分１１１２のＤＣＩにアップリンク許可を含み、アップリンク許可（またはＤＣＩに含まれる他の情報）は、例えば、示されたサブフレーム（単数又は複数）に対して、ＧＰ２（例えば、ＧＰ２  １１２８）が設けられる、または適用されることを示すガード期間構成を含む。ガード期間構成はまた、ＧＰ３が、示されたサブフレーム（単数又は複数）に対して設けられない、または適用されないことを示すことができる。したがって、この例では、ＧＰ２  １１２８が存在し、またＡＰ／ＢＳは、ＧＰ２  １１２８中にビーム切換えを実行し、ＧＰ３は存在しない。
【００４８】
図１２は、例示的な実装形態による、ＧＰ２が設けられないサブフレームを示す図である。サブフレーム１２１０および１２２０では、境界サブフレーム部分（サブフレーム１２１０と１２２０との間の境界上の）は異なるリンク方向のものであるため、ＧＰ３は適用可能ではない、または設けられない。この例示的な実装形態では、ＡＰは、アップリンクデータ部分１２２６を送信するために、およびアップリンク制御部分１２２９を送信するためにビームＡを使用する。したがって、例えば、部分１２２６と１２２９との間で、ＲＦビーム切換えを必要としない。したがって、ダウンリンク制御部分１２１２内のＤＣＩで、ＡＰにより提供されるＵＬ許可（サブフレーム１２２０のアップリンクデータ部分１２２６内でユーザデバイスへのアップリンクリソースを許可する）は、ＧＰ２が、アップリンクデータ部分１２２６と、アップリンク制御部分１２２９との間に設けられない／適用されないことを示す（例えば、これらのサブフレーム部分の間でＡＰによるビーム切換えは必要ではないため）。ＧＰ１  １２１４が、ダウンリンク制御部分１２１２とアップリンクデータ部分１２１６との間に設けられる。ＧＰ１  １２１８が、アップリンクデータ部分１２１６とダウンリンク制御部分１２２２との間に設けられる。またＧＰ１  １２２４が、ダウンリンク制御部分１２２２とアップリンクデータ部分１２２６との間に設けられる。
【００４９】
図１３は、例示的な実装形態による、ガード期間構成が伝達され得る制御信号を示す図である。制御シグナリング１３００は、発見信号ブロック１３１０、参照信号１３１２、物理報知チャネル（ＰＢＣＨ）１３１４、同期信号１  １３１６、および同期信号２  １３１８を含むことができる。一実施形態では、ＤＳＢ１３１０は、参照信号１３１２、物理報知チャネル（ＰＢＣＨ）１３１４、同期信号１  １３１６、および同期信号２  １３１８のうちの少なくとも１つを備える。ＤＳＢは、例えば、１つ、２つ、または３つのシンボルをカバーすることができる（図１３は３つのシンボルを有する例示的な場合を示している）。一実装形態の例では、発見信号ブロック（ＤＳＢ）１３１０は、周期的な共通の制御シグナリングを伝えるように定義される。ＤＳＢ１３１０は、ＵＥがセルを検出し、アクセスできるようにするすべての基本的な共通制御情報を提供する。例示的な実装形態によれば、ＤＳＢ構造（時間および周波数領域におけるサイズ、物理的な信号、およびチャネル）は、送受信機アーキテクチャ（デジタルまたはハイブリッド）、および適用されるガード期間構成とは独立して、同じものであると考えられる。１つまたは複数の並列なビームは、１度にＤＳＢを送信することができ、またＤＳＢブロックは時間領域に集約されて、通常、ハイブリッドアーキテクチャで必要な共通の制御シグナリングをスイープするためのサポートを提供することができる。複数のガード期間の値の対がある場合、ＤＳＢ１３１０のＰＢＣＨ１３１４が、その情報を伝えるために使用され得る。１つだけのゼロではないＧＰ２およびＧＰ３の値の対（すなわち、ハイブリッドアーキテクチャに対して１つの構成）がある場合、ＤＳＢの事前定義の特性を用いることにより、情報を黙示的に伝えることができる。例えば、ＤＳＢ１３１０は、２つの同期信号１３１６および１３１８を含むことができ、それらの相対的な位置は、ＧＰ２およびＧＰ３が適用されるかどうか（デジタルまたはハイブリッド）を示すことができる。例示的なＤＳＢブロックでは、ＢＳがＧＰ２およびＧＰ３を必要とせずに動作するとき、同期信号を、連続するシンボルで送信できるが、ＢＳがＧＰ２を用いて動作するとき（１つだけの値）、同期信号は、時間領域間で１つのシンボルを用いて送信することができる。したがって、例示的な実装形態によれば、同期信号１３１６、１３１８の相対的な位置（例えば、互いに隣接している、または中間にシンボルを有する）は、ＧＰ２／ＧＰ３が存在するかどうかを示すことができる。
【００５０】
以下の表１は、例示的な実装形態による、ダウンリンク専用および特別なダウンリンクサブフレームに対するデジタルおよびハイブリッドアーキテクチャのいくつかの例示的なパラメータを示す。ＧＰ２および／またはＧＰ３は、通常、デジタルアーキテクチャを有するＢＳ／ＡＰには必要はない。したがって、例えば、ＧＰ２／ＧＰ３が特定のサブフレームに設けられるかどうかを示す、サブフレーム（単数又は複数）に対するガード期間構成を知らせる能力は、ハイブリッドおよびデジタルアーキテクチャを共に適応できるようにし得る。ＧＰ２およびＧＰ３は同じ長さのものとすることができる。別の実施形態では、ＧＰ２／ＧＰ３の長さは、例えば、ＧＰ３が、サブフレームの全体長さを調整するために使用されることにより、変化することができる。概して、ＧＰ２および／またはＧＰ３の長さは、アーキテクチャ、アレイサイズ、搬送波周波数、シナリオ、および送信電力を含むパラメータに依存する可能性がある。
【００５１】
【表１】
2019509660.tif 000003
【００５２】
図１４は、例示的な実装形態による、基地局／アクセスポイントの動作を示す流れ図である。動作１４１０は、少なくとも１つのガード期間の構成を示す信号を、基地局により少なくとも１つのユーザデバイスに送るステップを含み、少なくとも１つのガード期間は、同じリンク方向のサブフレーム部分の間に設けられる。
【００５３】
図１４の方法の例示的な実装形態によれば、その構成は、１つまたは複数のサブフレームに対して、同じリンク方向のサブフレーム部分の間に設けられる少なくとも１つのガード期間を示すサブフレーム構成と、１つまたは複数のサブフレームに対して、同じリンク方向のサブフレーム部分の間に設けられる少なくとも１つのガード期間を示すガード期間構成とのうちの少なくとも一方を含むことができる。
図１４の方法の例示的な実装形態によれば、少なくとも１つのガード期間は、同じリンク方向の制御サブフレーム部分とデータサブフレーム部分との間に設けられるガード期間を含むことができる。
図１４の方法の例示的な実装形態によれば、少なくとも１つのガード期間は、サブフレーム内の同じリンク方向のサブフレーム部分の間に設けられるガード期間を含むことができる。
図１４の方法の例示的な実装形態によれば、少なくとも１つのガード期間は、異なるサブフレームの同じリンク方向のサブフレーム部分の間に設けられるガード期間を含む。
【００５４】
図１４の方法の例示的な実装形態によれば、少なくとも１つのガード期間は、サブフレーム内で同じリンク方向のサブフレーム部分の間に設けられる少なくとも１つの第１のガード期間と、異なるサブフレームの同じリンク方向のサブフレーム部分の間に設けられる少なくとも１つの第２のガード期間とを含む。
図１４の方法の例示的な実装形態によれば、ビーム切換えを、少なくとも１つのガード期間中に基地局が実行するステップをさらに含む。
【００５５】
図１４の方法の例示的な実装形態によれば、送るステップは、少なくとも１つのガード期間が、同じリンク方向のサブフレーム部分の間に設けられる、または設けられないことを示すセル固有のシグナリングを、基地局により少なくとも１つのユーザデバイスに送るステップを含み、また方法は、少なくとも１つのガード期間が、１つまたは複数の特定のサブフレームに対して設けらない、または設けられることをそれぞれ示すユーザデバイス固有のシグナリングを、基地局により少なくとも１つのユーザデバイスに送るステップをさらに含む。
図１４の方法の例示的な実装形態によれば、少なくとも１つのガード期間が、１つまたは複数の特定のサブフレームに対して設けられるかどうかを示すシグナリングを、基地局により少なくとも１つのユーザデバイスに送るステップをさらに含む。
図１４の方法の例示的な実装形態によれば、基地局は、同じリンク方向の第１のサブフレーム部分と第２のサブフレーム部分との間でビーム切換えを実行しないことを基地局が決定するステップと、少なくとも１つのガード期間が、同じリンク方向の第１のサブフレーム部分と第２のサブフレーム部分との間に設けられないことを示すシグナリングを、基地局により少なくとも１つのユーザデバイスに送るステップとをさらに含む。
【００５６】
図１４の方法の例示的な実装形態によれば、少なくとも１つのガード期間の１つまたは複数のシンボルは、基地局が以下のもの、すなわち、サブフレームの１つまたは複数のデータシンボルをパンクチャするステップと、サブフレームの巡回プレフィックスの１つまたは複数のシンボルをパンクチャするステップと、異なるリンク方向のサブフレーム部分の間に設けられるガード期間を短縮するステップと、サブフレームのゼロテールの１つまたは複数のシンボルを増加するステップのうちの１つまたは複数を実行することにより提供される、または取得される。
図１４の方法の例示的な実装形態によれば、少なくとも１つのガード期間は、指示が提供されるサブフレーム内に設けられるという指示を、少なくとも１つのユーザデバイスに、サブフレームで基地局が提供するステップをさらに含む。
【００５７】
図１４の方法の例示的な実装形態によれば、送るステップは、サブフレーム中にアップリンク送信を実行するためのアップリンクリソースをユーザデバイスに許可するユーザデバイスへのアップリンク許可を含むシグナリングを、基地局によりユーザデバイスに送るステップを含み、シグナリングは、同じリンク方向のサブフレーム部分の間に設けられる少なくとも１つのガード期間が、許可されたアップリンクリソースを介して、ユーザデバイスによりアップリンク送信が実行されるサブフレームにおいて設けられることを示す。
例示的な実装形態によれば、装置は、少なくとも１つのプロセッサと、少なくとも１つのプロセッサにより実行されたとき、装置に、少なくとも１つのガード期間の構成を示す信号を、基地局により少なくとも１つのユーザデバイスに送るようにさせるコンピュータ命令を含む少なくとも１つのメモリとを含み、少なくとも１つのガード期間は、同じリンク方向のサブフレーム部分の間に設けられる。
【００５８】
別の例示的な実装形態によれば、コンピュータプログラム製品は、実行可能コードを記憶したコンピュータ可読記憶媒体を含み、実行可能コードは、少なくとも１つのデータ処理装置により実行されたとき、少なくとも１つのデータ処理装置に、少なくとも１つのガード期間の構成を示す信号を、基地局により少なくとも１つのユーザデバイスに送らせるように構成され、少なくとも１つのガード期間は、同じリンク方向のサブフレーム部分の間に設けられる。
別の例示的な実装形態によれば、装置は、同じリンク方向のサブフレーム部分の間に設けられる少なくとも１つのガード期間の構成を示す信号を、基地局により少なくとも１つのユーザデバイスに送るための手段（例えば、図１６の１６０２Ａ／１６０２Ｂおよび／または１６０４）と、少なくとも１つのガード期間が、１つまたは複数の特定のサブフレームに対して設けられるかどうかを示すシグナリングを、基地局により少なくとも１つのユーザデバイスに送るための手段（例えば、図１６の１６０２Ａ／１６０２Ｂおよび／または１６０４）とを含む。
【００５９】
図１５は、例示的な実装形態によるユーザデバイスの動作を示す流れ図である。動作１５１０は、少なくとも１つのガード期間の構成を示す信号を、ユーザデバイスにより基地局から受信するステップを含み、少なくとも１つのガード期間は、同じリンク方向のサブフレーム部分の間に設けられる。
図１５の方法の例示的な実装形態によれば、少なくとも１つのガード期間は、サブフレーム内の同じリンク方向のサブフレーム部分の間に設けられるガード期間を含む。
図１５の方法の例示的な実装形態によれば、少なくとも１つのガード期間は、異なるサブフレームの同じリンク方向のサブフレーム部分の間に設けられたガード期間を含む。
図１５の方法の例示的な実装形態によれば、少なくとも１つのガード期間は、サブフレーム内の同じリンク方向のサブフレーム部分の間に設けられる少なくとも１つの第１のガード期間と、異なるサブフレームの同じリンク方向のサブフレーム部分の間に設けられる少なくとも１つの第２のガード期間とを含む。
図１５の方法の例示的な実装形態によれば、少なくとも１つのガード期間中に、ユーザデバイスがビーム切換えを実行するステップをさらに含む。
図１５の方法の例示的な実装形態によれば、１つまたは複数の特定のサブフレームに対して、少なくとも１つのガード期間が設けられるかどうかを示すシグナリングを、ユーザデバイスが基地局から受信するステップをさらに含む。
図１５の方法の例示的な実装形態によれば、指示が提供されるサブフレームに、少なくとも１つガード期間が設けられるという指示をサブフレームで、基地局からユーザデバイスが受信するステップをさらに含む。
【００６０】
図１５の方法の例示的な実装形態によれば、受信するステップは、サブフレーム中にアップリンク送信を実行するためのアップリンクリソースをユーザデバイスに許可する、ユーザデバイスへのアップリンク許可を含むシグナリングを基地局からユーザデバイスが受信するステップを含み、シグナリングは、同じリンク方向のサブフレーム部分の間に設けられる少なくとも１つのガード期間が、許可されたアップリンクリソースを介してアップリンク送信がユーザデバイスにより実行されるサブフレームに設けられることを示している。
【００６１】
例示的な実装形態によれば、装置は、少なくとも１つのガード期間の構成を示す信号を、基地局からユーザデバイスが受信するための手段（例えば、図１６の１６０２Ａ／１６０２Ｂおよび／または１６０４）であって、少なくとも１つのガード期間は、同じリンク方向のサブフレーム部分の間に設けられる、手段と、少なくとも１つのガード期間が１つまたは複数の特定のサブフレームに対して設けられるかどうかを示すシグナリングを、基地局からユーザデバイスが受信するための手段（例えば、図１６の１６０２Ａ／１６０２Ｂおよび／または１６０４）とを含むことができる。
装置は、少なくとも１つのプロセッサと、少なくとも１つのプロセッサにより実行されたとき、少なくとも１つのガード期間の構成を示す信号を、基地局からユーザデバイスが受信する方法を装置に実行させるコンピュータ命令を含む少なくとも１つのメモリとを備え、少なくとも１つのガード期間は、同じリンク方向のサブフレーム部分の間に設けられる。
【００６２】
コンピュータプログラム製品であって、コンピュータプログラム製品は、実行可能コードを記憶したコンピュータ可読記憶媒体を備え、実行可能なコードは、少なくとも１つのデータ処理装置により実行されたとき、少なくとも１つのガード期間の構成を示す信号を、基地局からユーザデバイスが受信する方法を、少なくとも１つのデータ処理装置に実行させるように構成され、少なくとも１つのガード期間は、同じリンク方向のサブフレーム部分の間に設けられる。
図１６は、例示的な実装形態による無線局（例えば、ＡＰまたはユーザデバイス）１６００のブロック図である。無線局１６００は、例えば、１つまたは２つのＲＦ（無線周波数）、または無線送受信機１６０２Ａ、１６０２Ｂを含むことができ、各無線送受信機は、信号を送信するための送信機と、信号を受信するための受信機とを含む。無線局はまた、命令もしくはソフトウェアを実行し、信号の送信および受信を制御するためのプロセッサまたは制御ユニット／エンティティ（コントローラ）１６０４と、データおよび／または命令を記憶するためのメモリ１６０６とを含む。
【００６３】
プロセッサ１６０４はまた、判断または決定を行い、フレーム、パケット、もしくはメッセージを送信のために生成し、さらなる処理、および本明細書で述べる他のタスクもしくは機能を行うために、受信したフレームもしくはメッセージを復号することができる。例えば、ベースバンドプロセッサとすることのできるプロセッサ１６０４は、無線送受信機１６０２（１６０２Ａまたは１６０２Ｂ）を介して送信するために、メッセージ、パケット、フレームまたは他の信号を生成することができる。プロセッサ１６０４は、無線ネットワークを介して、信号またはメッセージの送信を制御することができ、また無線ネットワークを介して、信号またはメッセージなどの受信を制御することができる（例えば、無線送受信機１６０２により低域変換された後に）。プロセッサ１６０４は、プログラム可能とすることができ、また上記で述べたタスクまたは方法の１つまたは複数など、上記で述べた様々なタスクおよび機能を実行するために、メモリに、または他のコンピュータ媒体に記憶されたソフトウェア、または他の命令を実行することができる。プロセッサ１６０４は、例えば、ハードウェア、プログラム可能な論理、ソフトウェアもしくはファームウェアを実行するプログラム可能なプロセッサ、および／またはこれらの任意の組合せとすることができる（または含むことができる）。他の専門用語を用いると、プロセッサ１６０４および送受信機１６０２は合わせて、例えば、無線送信機／受信機システムと見なすことができる。
【００６４】
さらに、図１６を参照すると、コントローラ（またはプロセッサ）１６０８は、ソフトウェアおよび命令を実行することができ、ステーション（ｓｔａｔｉｏｎ）８００に対する全体制御を提供することができ、入力／出力デバイス（例えば、ディスプレイ、キーパッドなど）を制御するなど、図１６で示されていない他のシステムに対する制御を提供することができ、ならびに／または、例えば、電子メールプログラム、オーディオ／ビデオアプリケーション、ワードプロセッサ、ボイスオーバーＩＰ（ＶｏＩＰ）アプリケーション、もしくは他のアプリケーションもしくはソフトウェアなど、無線局１６００で提供され得る１つもしくは複数のアプリケーションのためのソフトウェアを実行することができる。
さらに、コントローラまたはプロセッサにより実行されたとき、プロセッサ１６０４または他のコントローラもしくはプロセッサが、上記で述べた機能またはタスクの１つまたは複数を実行することができる記憶された命令を含む記憶媒体を提供することができる。
【００６５】
別の例示的な実装形態によれば、ＲＦまたは無線送受信機１６０２Ａ／１６０２Ｂは、信号またはデータを受信し、および／または信号またはデータを送信または送ることができる。プロセッサ１６０４（および、おそらく送受信機１６０２Ａ／１６０２Ｂ）は、ＲＦまたは無線送受信機（単数又は複数）１６０２Ａもしくは１６０２Ｂを制御して、信号またはデータを受信し、送り、ブロードキャストし、または送信することができる。
【００６６】
しかし、実施形態は、例として示されたシステムに制限されることはなく、当業者であれば、その解決策を他の通信システムに適用することが可能である。適切な通信システムの別の例は、５Ｇの概念である。５Ｇにおけるネットワークアーキテクチャは、ＬＴＥアドバンストのものとまったく同様のものであると考えられる。５Ｇは、多入力多出力（ＭＩＭＯ）アンテナ、ＬＴＥ（いわゆる小さいセルの概念）よりもさらに多くの基地局もしくはノードを使用する可能性が高く、より小さいステーションと協動して動作するマクロサイトを含み、さらにおそらく、よりよいカバレッジおよび拡張データレートを求めて様々な無線技術を使用する。
【００６７】
将来のネットワークは、サービスを提供するために動作可能に共に接続される、またはリンクされ得る「ビルディングブロック」またはエンティティへと、ネットワークノード機能を仮想化することを提案するネットワークアーキテクチャ概念であるネットワーク機能仮想化（ＮＦＶ）を利用する可能性が最も高いことを理解されたい。仮想化されたネットワーク機能（ＶＮＦ）は、カスタマイズされたハードウェアに代えて、標準のまたは汎用タイプのサーバを用いてコンピュータプログラムコードを動作させる１つまたは複数の仮想マシンを備えることができる。クラウドコンピューティングまたはデータ記憶を利用することもできる。無線通信においては、これは、遠隔無線ヘッドに動作可能に結合されたサーバ、ホスト、またはノードにおいて少なくとも部分的に、ノード動作が実行され得ることを意味することができる。ノード動作は、複数のサーバ、ノード、またはホストの中で分散されることも可能である。さらにコアネットワーク動作と基地局動作との間の仕事の配分は、ＬＴＥのものとは異なっている、またはさらに存在しない可能性のあることも理解されたい。
【００６８】
本明細書で述べられた様々な技法の実装形態は、デジタル電子回路で、またはコンピュータハードウェア、ファームウェア、ソフトウェア、もしくはそれらの組合せで実装することができる。実装形態は、コンピュータプログラム製品として、すなわち、例えば、プログラム可能なプロセッサ、コンピュータ、または複数のコンピュータなど、データ処理装置により実行される、またはその動作を制御するための、例えば、機械可読記憶デバイスで、または伝播信号でなど、情報担持体で有形に具現化されるコンピュータプログラムとして実装することができる。実装形態はまた、非一時的な媒体であり得るコンピュータ可読媒体、またはコンピュータ可読記憶媒体上で提供することができる。様々な技法の実装形態はまた、一時的な信号または媒体を介して提供される実装形態、および／または有線ネットワークおよび／または無線ネットワークであるインターネットもしくは他のネットワーク（単数又は複数）を介してダウンロード可能なプログラムおよび／またはソフトウェア実装形態を含むことができる。加えて、実装形態は、マシンタイプ通信（ＭＴＣ）を介して、またさらにモノのインターネット（ＩＯＴ）を介して提供することができる。
【００６９】
コンピュータプログラムは、ソースコード形式、オブジェクトコード形式、またはいくつかの中間的な形式のものとすることができ、またそれは、プログラムを担持できる任意のエンティティもしくはデバイスとすることのできる、ある種の担持体、配信媒体、またはコンピュータ可読媒体に記憶することができる。このような担持体は、例えば、記録媒体、コンピュータメモリ、読出し専用メモリ、光電および／または電気的な搬送信号、電気通信信号、およびソフトウェア配信パッケージなどを含む。必要とされる処理パワーに応じて、コンピュータプログラムは、単一の電子的なデジタルコンピュータで実行することができるが、あるいはそれは、いくつかのコンピュータの中で分散させることができる。
【００７０】
さらに、本明細書で述べられる様々な技法の実装形態は、サイバーフィジカルシステム（ＣＰＳ）（物理的なエンティティを制御するコンピュータ要素を協動させるシステム）を使用することができる。ＣＰＳは、様々な場所にある物理的なオブジェクトに埋め込まれた、大量の相互接続されたＩＣＴデバイス（センサ、作動器、プロセッサ、マイクロコントローラなど）を実装し、利用できるようにし得る。問題のフィジカルシステムが本質的に移動性を有している移動サイバーフィジカルシステムは、サイバーフィジカルシステムの下位分類である。移動性のフィジカルシステムの例は、移動ロボット、および人もしくは動物で運ばれる電子装置を含む。スマートフォンの人気の高まりは、移動性のサイバーフィジカルシステムの領域における関心を高めている。したがって、本明細書で述べられた技法の様々な実装形態は、これらの技術のうちの１つまたは複数により提供することができる。
【００７１】
上記で述べたコンピュータプログラム（単数又は複数）などのコンピュータプログラムは、コンパイルされた、または解釈された言語を含む、任意の形式のプログラミング言語で記述することができ、スタンドアロンのプログラムとして、またはモジュール、構成要素、サブルーチン、もしくはコンピューティング環境で使用するのに適した他のユニットもしくはその一部としてを含む、任意の形式で展開することができる。コンピュータプログラムは、１つのコンピュータで実行されるように、または、１つのサイトにおける、もしくは複数のサイトにわたって分散され、通信ネットワークにより相互接続された複数のコンピュータで実行されるように、展開することができる。
【００７２】
方法ステップは、１つまたは複数のプログラム可能なプロセッサが、コンピュータプログラムまたはコンピュータプログラム部分を実行して、入力データに演算し出力を生成することによって機能を行うことにより、実行することができる。方法ステップはまた、例えば、ＦＰＧＡ（書替え可能ゲートアレイ）、またはＡＳＩＣ（特定用途向け集積回路）など、専用の論理回路により実行することができ、また装置は、専用の論理回路として実装され得る。
【００７３】
コンピュータプログラムの実行に適したプロセッサは、例として、汎用と専用のマイクロプロセッサを共に、また任意の種類のデジタルコンピュータ、チップ、またはチップセットの任意の１つまたは複数のプロセッサを含む。概して、プロセッサは、読出し専用メモリ、またはランダムアクセスメモリから、またはその両方から、命令およびデータを受け取ることになる。コンピュータの要素は、命令を実行するための少なくとも１つのプロセッサと、命令およびデータを記憶するための１つまたは複数のメモリデバイスとを含むことができる。概して、コンピュータはまた、例えば、磁気、光磁気ディスク、または光ディスクなど、データを記憶するための１つまたは複数の大量記憶デバイスを含む、またはデータをそこから受け取るために、もしくはデータをそれに転送するために、あるいはその両方を行うために動作可能に結合することができる。コンピュータプログラム命令およびデータを具現化するのに適した情報担持体は、例として、例えば、ＥＰＲＯＭ、ＥＥＰＲＯＭ、およびフラッシュメモリデバイスなどの半導体メモリデバイス、例えば、内蔵のハードディスクもしくは取外し可能ディスクなどの磁気ディスク、光磁気ディスク、ならびにＣＤ−ＲＯＭおよびＤＶＤ−ＲＯＭディスクを含むすべての形態の不揮発性メモリを含む。プロセッサおよびメモリは、専用の論理回路で補われる、またはそれに組み込むことができる。
【００７４】
ユーザとの対話を提供するために、実装形態は、ユーザに情報を表示するための、例えば、陰極線管（ＣＲＴ）または液晶ディスプレイ（ＬＣＤ）モニタなどの表示デバイスと、ユーザがそれによりコンピュータへの入力を提供できるキーボード、および例えば、マウスもしくはトラックボールなどのポインティングデバイスなどのユーザインターフェースとを有するコンピュータに実装することができる。ユーザとの対話を提供するために、他の種類のデバイスも同様に使用することができる。例えば、ユーザに提供されるフィードバックは、例えば、視覚的なフィードバック、聴覚的なフィードバック、または触知できるフィードバックなど、任意の形態の感覚的なフィードバックとすることができ、またユーザからの入力は、音響、会話、または触知可能な入力を含む任意の形態で受け取ることができる。
【００７５】
実装形態は、例えば、データサーバとしてバックエンド構成要素を含む、または例えば、アプリケーションサーバなどのミドルウェア構成要素を含む、または例えば、ユーザがそれを通して実装形態と対話できるグラフィカルユーザインターフェース、もしくはウェブブラウザを有するクライアントコンピュータなどのフロントエンド構成要素を含む、あるいはこのようなバックエンド、ミドルウェア、またはフロントエンド構成要素の任意の組合せを含むコンピューティングシステムで実装することができる。構成要素は、例えば、通信ネットワークなど、デジタルデータ通信の任意の形態もしくは媒体により相互接続することができる。通信ネットワークの例は、ローカルエリアネットワーク（ＬＡＮ）、および例えば、インターネットなどの広域ネットワーク（ＷＡＮ）を含む。
述べられた実装形態のいくつかの特徴が、本明細書で前述のように示されてきたが、当業者であれば、ここで多くの修正、置換、変更、および均等物を想到するであろう。したがって、添付の特許請求の範囲は、様々な実施形態の真の趣旨に含まれるものとして、このような修正および変更をすべて包含するように意図されているものと理解されたい。
【図１】
2019509660.tif 000004
【図２】
2019509660.tif 000005
【図３】
2019509660.tif 000006
【図４】
2019509660.tif 000007
【図５】
2019509660.tif 000008
【図６】
2019509660.tif 000009
【図７】
2019509660.tif 000010
【図８】
2019509660.tif 000011
【図９】
2019509660.tif 000012
【図１０】
2019509660.tif 000013
【図１１】
2019509660.tif 000014
【図１２】
2019509660.tif 000015
【図１３】
2019509660.tif 000016
【図１４】
2019509660.tif 000017
【図１５】
2019509660.tif 000018
【図１６】
2019509660.tif 000019
【国際調査報告】
2019509660.tif 000020
2019509660.tif 000021
2019509660.tif 000022